(57)【要約】      （修正有）【課題】本発明は化学療法すなわち抗がん剤治療による人体のダメージの抑制冷却装置に関し、最適なダメージ抑制冷却を実現する。【解決手段】電子冷却素子１０，１１，１２，１３，１４を冷熱源とし、ダメージ抑制冷却部位の血管分布や血流量あるいは血流系統等のダメージ抑制冷却に関する人体の基礎的要素に基づき、冷却部位毎に最適冷却温度で冷却することで、抗がん剤治療によるダメージを生じる部位毎にダメージを最適、高効率、高精度でダメージ抑制する新規の冷却装置である。【選択図】図１
2019098132.tif 000002
【特許請求の範囲】
【請求項１】
電子冷却素子を冷熱源とする電子冷却部を複数配設したことを特徴とする化学療法の治療による手や足のダメージ抑制冷却装置。
【請求項２】
ダメージ抑制部位やダメージ抑制対象部位の基礎的要素に基づいてダメージ抑制冷却することを特徴とする請求項１記載の化学療法の治療によるダメージ抑制冷却装置。
【請求項３】
ダメージ抑制部位及び該ダメージ抑制部位の血流系統に電子冷却部を配設したことを特徴とする請求項１、請求項２記載の化学療法の治療によるダメージ抑制冷却装置。
【請求項４】
ダメージ抑制冷却プロセスとダメージ抑制冷却プログラムで構成するダメージ抑制冷却システムによりダメージ抑制冷却することを特徴とする請求項１、請求項２、請求項３記載の化学療法の治療によるダメージ抑制冷却装置。
【請求項５】
ダメージ抑制部位やダメージ抑制対象部位の血管内の抗がん剤に関する情報に基づきダメージ抑制冷却することを特徴とする請求項１、請求項２、請求項３、請求項４記載の化学療法の治療によるダメージ抑制冷却装置。
【請求項６】
冷却器と制御器をセパレートに設けたことを特徴とする請求項１、請求項２、請求項３、請求項４、請求項５記載の化学療法の治療によるダメージ抑制冷却装置。
【請求項７】
冷却器と制御器を一体あるいは一体的に設けたことを特徴とする請求項１、請求項２、請求項３、請求項４、請求項５記載の化学療法の治療によるダメージ抑制冷却装置。
【請求項８】
内体を伝熱体または伝熱体と伝熱板または伝熱体と伝熱板と断熱体で形成したことを特徴とする請求項１、請求項２、請求項３、請求項４、請求項５、請求項６、請求項７記載の化学療法の治療によるダメージ抑制冷却装置。
【発明の詳細な説明】
【技術分野】
【０００１】  本発明は化学療法の治療による人体のダメージの抑制冷却装置に関する。
【背景技術】
【０００２】  従来、化学療法の治療、すなわち抗がん剤治療による人体へのダメージの抑制について、頭部あるいは手足等のダメージを受ける人体部位を冷却することでダメージ抑制効果のあることが公知である。例えば、頭髪脱毛は特に女性にとって耐えがたい精神的苦痛である。そこで頭髪の脱毛ダメージを抑制するものとして頭皮冷却装置が提供されている。頭皮冷却装置は頭皮を冷却することで、血管の収縮による頭皮血行の減少により毛根の細胞の代謝能力を低下させ、がん治療時の抗がん剤による毛根細胞障害を抑制し頭髪の脱毛を予防する。公知のものとしては、特許文献１特表２００１−５０２２７、特許文献２特開２００８−２０６９９８、特許文献３特開２０１５−１５６９６５等に示す頭皮冷却装置が提供されている。【０００３】  一方、抗がん剤治療によるダメージとして皮膚障害や爪障害等がある。例えば、皮膚障害の一つに指先の知覚過敏症があり、抗がん剤治療により指先が過敏になり指先に物が触れると激痛が走るため、日常の家事においてゴム手袋を二重、三重に装着し過敏痛を軽減していた。また、爪障害には手足の爪の変色、爪割れ等のダメージがあり、女性にとって大きなストレスとなっていた。更に、足の爪の場合は歩行にも支障をきたすことにもなっていた。手や足の冷却手段としては、保冷パック等の市販の蓄冷商品や医療用アイスグローブ等が提供されていた。また、公知の特許文献４特開２０１２−１６６０１９に示す手挟み込み冷却器具、特許文献５特開２０１５−１８６５７０に示す手首と指の分離冷却等も提供されており、いずれも保冷剤の蓄熱性を利用したもので、冷蔵庫や冷凍庫等で一定時間冷却あるいは冷凍して使用していた。また、冷媒を冷熱源とする手の冷却装置としては特許文献６特表２００９−５１８１１１に示す手を包み込んで冷却する装置がが提供されていた。【０００４】  従来技術の参考文献
【特許文献１】特表２００１−５０２２７
【特許文献２】特開２００８−２０６９９８
【特許文献３】特開２０１５−１５６９６５
【特許文献４】特開２０１２−１６６０１９
【特許文献５】特開２０１５−１８６５７
【特許文献６】特表２００９−５１８１１１
【発明の開示】
【発明が解決しようとする課題】
【０００５】  そのために次のような課題があった。
医学的研究において、抗がん剤治療によるダメージ抑制の冷却温度は１０°Ｃ以下で効果があるとされる。特許文献１特表２００１−５０２２７や特許文献２特開２００８−２０６９９８の冷媒を冷熱源とし、冷却不凍液を循環し冷却する頭皮冷却装置の場合、頭髪や冷却器具等による熱伝導を考慮し、−１０°Ｃ程度で冷却不凍液をコントロールし、頭皮全体を−５°Ｃから１０°Ｃで冷却していた。すなわち、冷媒を冷熱源とする頭皮冷却装置は、ダメージ抑制冷却を一定の冷却温度でコントロールし、ダメージ抑制冷却部位全体を同一の冷却温度で冷却するものであり、個々人におけるダメージ抑制部位毎に冷却温度を最適にコントロールし、冷却治療中常に維持するものではなかった。また、冷媒冷却装置の場合は大きな冷却能力を得られる反面、装置が複雑で重量が重く取扱い面や設置面にも課題があり、治療中発生する騒音振動は被治療者だけでなく周囲にもストレスとなり、環境面においても大きな課題があった。【０００６】  手のダメージ抑制冷却において、従来の公知の特許文献４特開２０１２−１６６０１９に示す手挟み込み冷却装置、あるいは特許文献５特開２０１５−１８６５７０に示す手首と指先に分離して冷却することで手や指の拘束を緩和する冷却器具、あるいは医療用アイスグローブ等は、冷熱源を保冷パックとするものである。以上のような保冷パックを使用するダメージ抑制冷却では、冷凍庫で長時間をかけて冷凍・冷却をするもので、冷却部位を常時最適温度で冷却することができず、また、冷却温度を自在にコントロールし、維持できなかった。すなわち、冷却能力は使用時間の経過とともに低下し、ダメージ抑制冷却の効果を冷却治療中維持できなかった。手のダメージ抑制冷却の公知の特許文献６特表２００９−５１８１１１の場合、冷媒を冷熱源とし不凍液の温度をコントロールして冷却するものであったが、冷却部位だけでなく、手全体を同一温度で冷却するものであり、過冷却になり易く、冷却装置に両手を挿入し冷却する構造のため、長時間手や指の動きが拘束され、被治療者にとって不便なものであった。【０００７】  抗がん剤によるダメージの抑制は、ダメージを生じる各部位（以下、ダメージ抑制部位と称す）への抗がん剤流入を抑制することである。すなわち、各ダメージ抑制部位及びその血流系統の血管を冷却し、該血管を収縮させて血流量を減少することがダメージ抑制冷却治療の目的であるべきである。従って、従来のダメージ冷却装置や器具における同一温度によるダメージ抑制冷却ではなく、ダメージ抑制部位の血管分布、血流量、血流系統等のダメージ抑制冷却に重大な影響を与える人体の基礎的要素（以下、基礎的要素と称す）に基づき、冷却能力、冷却温度等の冷却条件を設定しダメージ抑制冷却を行うことが合理的であり最大の効果が得られる。また、被治療者毎に基礎的要素に基づきダメージ抑制冷却をすることが望ましい。ダメージ抑制冷却における基礎的要素としては、他に体温、血圧、脈拍、皮膚厚、血管密集度、血流速度等の要素があり、ダメージ抑制冷却に必要な場合はこれらの要素を取り入れてもよい。【０００８】  また、一般的に抗がん剤治療は４〜６時間、準備段階も含めると更に時間を要し、手や足のダメージ抑制冷却では���その間手や足の自由を拘束される。従来の手足の冷却器具や装置においては、手や足全体を拘束するものであり、また、過冷却に対しては様々な方法で自己防衛が必要であった。すなわち、抗がん剤治療による手や足の行動規制は、被治療者にとっては長時間ストレスに耐えるしかなかった。従って、公知の手や足のダメージ抑制冷却器具や装置及び方法ではなく、ダメージ抑制冷却時のストレスであるダメージ抑制冷却に伴う長時間の手足の拘束のない、過冷却を生じないダメージ抑制冷却装置が切望されていた。本課題は、抗がん剤治療によるダメージ抑制冷却治療を受け難くする社会的な課題でもあった。【０００９】  また、ダメージを発症する頭皮のいわゆるＭ字部位や手や足の指先部位は、血流量の多い動脈部位とは相異し、血流量の少ない毛細血管が密集しており、これらの部位のダメージ抑制冷却は高冷却能力を必要としない。従って、従来の一定の低冷却温度で冷却する場合、過冷却になりやすく利便性に欠けるものであった。
【課題を解決するための手段】
【００１０】  本発明は、電子冷却素子を冷熱源とし、ダメージ抑制部位あるいはダメージ抑制部位の血流系統部位（以下、ダメージ抑制対象部位と称す）毎に、基礎的要素に基づいて冷却能力や冷却温度をコントロールし、効果的なダメージ抑制冷却を行うダメージ抑制冷却装置である。すなわち、抗がん剤治療により生じる頭髪脱毛や手足の障害等の各部位に生じるダメージ抑制をダメージ抑制部位やダメージ抑制対象部位の基礎的要素に基づきダメージ抑制冷却することで、各部位毎に最適なダメージ抑制冷却することを特徴とする新規のダメージ抑制冷却装置である。【００１１】  本発明のダメージ抑制冷却装置（以下、冷却装置と称す）は、ペルティエ効果を利用したシンプルな構造で軽量の電子冷却素子を活用し、エネルギー源と冷熱源を電気エネルギーとしたことで温度制御を高速、高精度で行うことを特徴とする。また、該電子冷却素子の特性を活用し、ダメージ抑制部位及びダメージ抑制対象部位の基礎的要素に基づいて電子冷却部を複数配設し、部位毎に冷却能力や冷却温度をコントロールし冷却する。また、コンパクトな電子冷却部を配設することで冷却部位の負荷を格段に軽減するとともに、各部位の拘束を無くした冷却装置である。
【発明の効果】
【００１２】  従来の冷却装置はどの冷却部位においても、あるいはどの被治療者においても同一の冷却温度で冷却していたが、本発明の冷却装置は、ダメージ抑制部位やダメージ抑制対象部位の基礎的要素に基づいて電子冷却素子を配設し、ダメージ抑制部位やダメージ抑制対象部位毎に冷却能力や冷却温度をコントロールし、合理的で最適なダメージ抑制冷却プログラムを構築し、また、ダメージを受ける部位は例えば手や足の場合、それぞれの指先部位は毛細血管部位であり低冷却能力で対応できること、ダメージ抑制対象部位の動脈部位は、血流量が多く高冷却能力でダメージ抑制冷却をすることでダメージ抑制部位の冷却能力を低下できることに着眼し、電子冷却素子を活用したダメージ抑制冷却プロセスを構築することで、従来の課題を解決することができた。更に、冷却中の手足の自由度を大きく緩和し過冷却も防止できた。また、電子冷却素子の冷却面の温度は、短時間で−５０°Ｃ以下の極低温にすることができ、使用前に冷却装置を稼働しておく必要がない。更に、従来の冷媒冷却装置に比べて超小型軽量化を実現し、振動騒音の発生が激減し、使用環境面において利便性の高い冷却装置を提供できた。【００１３】  ダメージ抑制の冷却温度は個々人により相違するが、本発明によれば冷却治療時にセンサー等により個々人の基礎的要素を検出し、制御器のマイクロコンピュータ等で構成する制御部で分析あるいは解析し、個々人の最適冷却プログラムを作成、更新する。従って、冷却装置の使用時の温度設定や調整の必要がなく、ダメージ抑制冷却を自動化することができ、常時安定してダメージ抑制冷却を行え、冷却装置の信頼性を格段に高められた。尚、一般的な基礎的要素の平均値を標準基礎的要素としてダメージ抑制冷却を行う場合、あるいは冷却治療毎に更新してダメージ抑制冷却を行う場合等でも本発明の効果を得られる。【００１４】  また、本発明の冷却装置はダメージ抑制冷却プロセスとダメージ抑制冷却プログラムでダメージ抑制冷却システムを構築し、ダメージ抑制冷却することができる。【００１５】  更に、本発明の冷却装置は、圧縮機等を設ける複雑な構造で消費電力の大きい冷媒冷却サイクルと相違して、簡素な構造の冷却装置であり、多大な省エネルギー化を図れ、故障リスクも微少となるため維持管理の費用も大幅に削減できた。【００１６】  本発明の冷却装置は、手や足に比して大きな冷却能力が必要な頭皮冷却についても前述の手段で同様の効果が得られた。すなわち、頭皮冷却の場合、頭皮の基礎的要素に基づいて電子冷却素子を配設する。例えば、動脈部位に高冷却性能の電子冷却部、中冷却能力の電子冷却部を順次配設し、毛細血管部位、例えばいわゆるＭ字部の毛細血管部位等には低冷却能力の電子冷却部を配設し、血流系統を段階的に冷却することで、頭皮への過冷却によるダメージをなくし、高効率、高精度のダメージ抑制冷却ができる。更に、頭皮の場合は頭髪等により電子冷却部が手足の場合より低温度にする必要が有るが、冷熱源が電子冷却素子であり全く問題なく対応できる。また、頭皮冷却部位の冷却面積は手足に比して非常に大きいが、血流系統に電子冷却部を複数配設することや高冷却能力の電子冷却部を配設し、各電子冷却部の冷却能力をコントロールすることで対応することができた。【００１７】  以下、本発明の冷却装置の実施例について、図面に基づいて説明する。尚、実施例は左手甲上向きで使用時の実施例である。
（イ）図１に示すように、冷却装置（Ｉ）は冷却器（Ａ）と制御器（Ｂ）で形成する。冷却器（Ａ）と制御器（Ｂ）は配線（１）で接続し、制御器（Ｂ）に電源コード（２）を設ける。制御器（Ｂ）には、冷却装置（Ｉ）をコントロールする制御部（３）、制御情報や冷却状況を表示するモニター（４）、冷却器（Ａ）に直流電流を供給する直流変換器（５）等を設ける。制御部（３）は検出データの分析及び冷却装置の制御等を行う。直流変換器（５）は直流に変換した電流をリード線（５ａ）で各電子冷却素子に供給する。モニター（４）は使用環境によるが、タッチパネル式やコードレスにすれば利便性が高くなる。
（ロ）冷却本体（６）の手の挿入口（６ｆ）の一部に切口部（６ｇ）を設け、切口部（６ｇ）にバンド（６ｈ）を設ける。冷却本体（６）の切口部（６ｇ）の表側とバンド（６ｈ）の裏側に面ファスナー（６ｉ）を設ける。冷却本体（６）に手を挿入しバンド（６ｈ）を締めると切口部（６ｇ）が縮まり、面ファスナー（６ｉ）を押止することで手に冷却器（Ａ）を固着できる。冷却器（Ａ）の固定方法は、例えばファスナー等の公知の方法でも差し支えない。
（ハ）図１、図２、図３、図４、図５、図６、図７に示すように、冷却器（Ａ）の冷却本体（６）は、断熱性の外体（７）と外体（７）の内面に内体（８）とインナー体（９）で手袋状に形成する。冷却本体（６）の五指部には、母指を挿入する母指挿入部（６ａ）、示指を挿入する示指挿入部（６ｂ）、中指を挿入する中指挿入部（６ｃ）、環指を挿入する環指挿入部（６ｄ）、小指を挿入する小指挿入部（６ｅ）を形成する。母子挿入部（６ａ）、示指挿入部（６ｂ）、環指挿入部（６ｃ）、中指挿入部（６ｄ）、小指挿入部（６ｅ）は、各指の遠位間接厚、近位間接厚、遠位間接囲、近位間接囲を考慮して成形する。
（ニ）外体（７）を硬質材で成形し、内体（８）は伸縮性で伝熱性の伝熱体（８ａ）と伝熱性金属の伝熱板（８ｂ）と伸縮性で断熱性の断熱体（８ｃ）で形成する。従って、外体（７）と内体（８）の間に手や指の大きさに対応するようにクリアランスを設ける。一般的な手の大きさは、手長で平均値±３ｃｍ、手の幅は平均値±２ｃｍ、指については各指平均値±１ｃｍ程度である。従って、冷却本体（６）は全ての手のサイズをクリアするかサイズ分けをするかで、外体（７）とのクリアランスを決定する。伝熱体（８ａ）を手の大きさや幅（厚さ）等に対応して厚目の伸縮材を使用すればクリアランスを不要にできる。外体（７）を電子冷却部に影響がない程度に伸縮性の材質で成形すれば、クリアランスを更に小さくすることができる。
（ホ）冷却本体（６）の各指の挿入部に係合して電子冷却部を設ける。各電子冷却部は電子冷却素子を内設しており、各指の挿入部を冷却する。電子冷却部１（１０）は母子挿入部（６ａ）、電子冷却部２（１１）は示指挿入部（６ｂ）、電子冷却部３（１２）は中指挿入部（６ｃ）、電子冷却部４（１３）は環指挿入部（６ｄ）、電子冷却部５（１４）は小指挿入部（６ｅ）の上部に設ける。すなわち、手のダメージを受ける指部の血管分布や血流量等に係合するように配置する。
（ヘ）電子冷却部１（１０）に電子冷却素子１（１５）、電子冷却部２（１１）に電子冷却素子２（１６）、電子冷却部３（１２）に電子冷却素子３（１７）、電子冷却部４（１３）に電子冷却素子４（１８）、電子冷却部５（１４）に電子冷却素子５（１９）を配設する。
（ト）各電子冷却部に内設した電子冷却素子の冷却面と伝熱体（８ａ）に設ける各伝熱板（８ｂ）が密着するように、各挿入部に伝熱板（８ｂ）を配設する。すなわち、母子挿入部（６ａ）に伝熱板１（８ｂａ）、示指挿入部（６ｂ）に伝熱板２（８ｂｂ）、中指挿入部（６ｃ）に伝熱板３（８ｂｃ）、環指挿入部（６ｄ）に伝熱板４（８ｂｄ）、小指挿入部（６ｅ）に伝熱板５（８ｂｅ）を配設する。従って、各挿入部に係合するように内体（８）の伝熱体（８ａ）に各伝熱板を取着する。各伝熱板は、各電子冷却素子の冷却面と同じか少し大きくする。各伝熱板は、伝熱体（８ａ）の各指の背側部に、後述する各電子冷却部に設けた電子冷却素子の冷却面と接合する位置に配設する。伝熱体（８ａ）は熱伝導性樹脂、例えば軟質の炭素繊維やアルミニュウム繊維等の高熱伝導性材で形成する。各伝熱板はアルミニウムや銅等の高熱伝導材で形成する。
（チ）電子冷却素子１（１５）は発熱面１（１５ａ）、冷却面１（１５ｂ）、素子部１（１５ｃ）で、電子冷却素子２（１６）は発熱面２（１６ａ）、冷却面２（１６ｂ）、素子部２（１６ｃ）で、電子冷却素子３（１７）は発熱面３（１７ａ）、冷却面３（１７ｂ）、素子部３（１７ｃ）で、電子冷却素子４（１８）は発熱面４（１８ａ）、冷却面４（１８ｂ）、素子部４（１８ｃ）で、電子冷却素子５（１９）は発熱面５（１９ａ）、冷却面５（１９ｂ）、素子部５（１９ｃ）で形成する。電子冷却素子は、上下の金属板の間に金属電極とｐ型及びｎ型半導体で形成し、金属板に直流電流を流すと一方の面が吸熱し他方の面が発熱するペルティエ効果を利用して冷却する。電子冷却素子の性能は電圧と電流でコントロールする。
（リ）断熱性樹脂で成形した角筒状のボックス１（３０）、ボックス２（３１）、ボックス３（３２）、ボックス４（３３）、ボックス５（３４）に電子冷却素子、熱交換器等を設けて各電子冷却部を形成する。冷却本体（６）には、各ボックスを装着する装着部１（６ｊ）、装着部２（６ｋ）、装着部３（６１）、装着部４（６ｍ）、装着部５（６ｎ）を設ける。各装着部は各ボックスを嵌挿する形状にし、内体（８）まで貫通して設ける。
（ヌ）各ボックスの上部にアルミニュウム等を素材とする熱交換器１（４０）、熱交換器２（４１）、熱交換器３（４２）、熱交換器４（４３）、熱交換器５（４４）をそれぞれ取着する。すなわち、各ボックスに設けた熱交取付部１（３０ａ）、熱交取付部２（図示せず）、熱交取付部３（図示せず）、熱交取付部４（図示せず）、熱交取付部５（図示せず）に取着する。各熱交換器は上面が多数の放熱フィンで形成する放熱部１（４０ｂ）、放熱部２（４１ｂ、）放熱部３（４２ｂ）、放熱部４（４３ｂ）、放熱部５（４４ｂ）を形成し、下面がフラットに成形した素子取付部１（４０ａ）、素子取付部２（４１ａ）、素子取付部３（４２ａ）、素子取付部４（４３ａ）、素子取付部５（４４ａ）からなる。
（ル）ボックス１（３０）に電子冷却素子１（１５）、ボックス２（３１）に電子冷却素子２（１６）、ボックス３（３２）に電子冷却素子３（１７）、ボックス４（３３）に電子冷却素子４（１８）、ボックス５（３４）に電子冷却素子５（１９）を取設する。すなわち、各熱交換器の素子取付部１（４０ａ）、素子取付部２（４１ａ）、素子取付部３（４２ａ）、素子取付部４（４３ａ）、素子取付部５（４４ａ）に電子冷却素子１（１５）の発熱面１（１５ａ）、電子冷却素子２（１６）の発熱面２（１６ａ）、電子冷却素子３（１７）の発熱面３（１７ａ）、電子冷却素子４（１８）の発熱面４（１８ａ）、電子冷却素子５（１９）の発熱面５（１９ａ）をそれぞれ熱伝導両面テープやネジ止め等で固着する。以上により各電子冷却素子の発熱は熱交換器で放熱され、ペルティエ効果により電子冷却素子は冷却能力を発揮する。
（ヲ）内体（８）について、図６及び図７、図８に基づき詳細に説明する。本実施例の内体（８）は、アルミニュウム繊維等の伸縮性のある軟質の高熱伝導性樹材で成形した伝熱体（８ａ）、アルミニュウム等の高熱伝導金属で成形した伝熱板（８ｂ）、合成ゴム等の軟質の断熱性材で成形しや断熱体（８ｃ）で形成する。内体（８）にボックスを嵌挿する装着部を形成する取付孔（８ｄ）を設ける。内体（８）には、母指挿入部（６ａ）に係合する伝熱板１（８ｂａ）、示指挿入部（６ｂ）に係合する伝熱板２（８ｂｂ）、中指挿入部（６ｃ）に係合する伝熱板２（６ｂｃ）、環指挿入部（６ｄ）に係合する伝熱板４（８ｂｄ）、小指挿入部（６ｅ）に係合する伝熱板５（８ｂｅ）を設ける。各取付孔（８ｄ）に各伝熱板（８ｂ）を装着し周囲を溶着等で固着し一体化する。伝熱体（８ａ）と断熱体（８ｃ）の接合部（８ｅ）は溶着や貼着等で伝熱体（８ａ）と一体する。
（ワ）インナー体（９）は、０．１ｍｍ以下の薄い材料で五指手袋状に形成する。インナー体（９）は、伝熱体（８ａ）に貼着等で取着する。インナー体（９）は、吸湿性、柔軟性、通気性のポーラス構造の不織布等を使用する。不織布は抗がん剤治療時の冷却中に発生する結露を多孔質部に吸収し手の濡れによる過冷却を防止する。例えば、インナー体（９）を吸水性の優れたレーヨン繊維系の不織布や高通気性のポリエステル素材等で成形する。インナー体（９）の内表面に起毛加工をすれば更に手の冷感を緩和できる。
（カ）以上のように冷却器（Ａ）を形成することで、各電子冷却部が各挿入部の各指の基礎的要素に基づきダメージ抑制冷却を行う。
（ヨ）電子冷却部の代表例として図７に示す電子冷却部１（１０）及び母指冷却部（６ａ）の詳細図に基づいて説明する。
▲１▼冷却本体（６）に設ける電子冷却部１（１０）は、外体（７）と、内体（８）とインナー体（９）で形成した母子挿入部（６ａ）を冷却する。電子冷却部１（１０）は、ボックス１（３０）内部に電子冷却素子１（１５）と熱交換器１（４０）を取設して形成する。
▲２▼ボックス１（３０）は伝熱体（８ａ）まで貫通して設けた装着部１（６ｊ）に嵌挿する。
▲３▼ボックス取付部１（３０ｂ）は、ボックス１（３０）を装着部１（６ｊ）に装着した時に、電子冷却素子１（１５）の冷却面１（１５ｂ）と伝熱体（８ａ）の伝熱板１（８ｂａ）の上面が密着する位置に設けている。電子冷却素子１（１５）の冷却面１（１５ｂ）と伝熱板１（８ｂａ）は熱伝導両面テープ等で固着する。
▲４▼ボックス１（３０）の熱交取付部１（３０ａ）に熱交換器１（４０）を取着する。この時、熱交換器１（４０）の放熱フィン１（４０ｂ）は外気側に位置することで外気に放熱し、熱交換器１（４０）の素子取付部１（４０ａ）は母子冷却部（６ａ）側に位置する。
▲５▼熱交換器１（４０）の素子取付部１（４０ａ）に電子冷却素子１（１５）の発熱面１（１５ａ）をネジ止めや熱伝導両面テープ等で隙間の無いように固着する。
▲６▼装着部１（６ｊ）にボックス１（３０）を装着後、ボックス取付部１（３０ｂ）を溶着等で外体（７）に固定する。装着部１（６ｊ）の断熱性を損なわないように、装着部１（６ｊ）はボックス１（３０）を嵌挿するように成形しているが、更にボックス１（３０）を固定後、装着部１（６ｊ）の周囲はシリコン剤等で断熱シールする。
▲７▼以上により、伝熱体（８ａ）の伝熱板１（８ｂａ）と電子冷却素子１（１５）が一体化し、電子冷却部１（１０）は母指冷却部（６ａ）の母指を冷却することができる。
▲８▼母指挿入部（６ａ）に設けた電子冷却部１（１０）と同様に、示指挿入部（６ｂ）、中指挿入部（６ｃ）、環指挿入部（６ｄ）、小指挿入部（６ｅ）に電子冷却部２（１１）、電子冷却部３（１２）、電子冷却部４（１３）、電子冷却部５（１４）を設けることで、各指の血管分布や血流量に係合して冷却することができる。
（タ）電子冷却素子の発熱面の温度は、電子冷却素子の冷却面の温度に影響する。従って、電子冷却素子の発熱部の冷却が重要である。冷却方法は、使用環境や所要冷却温度により公知の冷却方法を選択する。本実施例では自然放熱であるが、例えば携帯電話等に用いられるヒートパイプ方式や強制空冷方式等、冷却性能により公知の冷却方法を選択する。
（レ）図８に示すように、内体（８）の母指、示指、中指、環指、小指の毛細血管集中部位に基礎的要素を検出するセンサー１（６０）、センサー２（６１）、センサー３（６２）、センサー４（６３）、センサー５（６４）を配設する。伝熱板１（８ｂａ）、伝熱板２（８ｂｂ）、伝熱板３（８ｂｃ）伝熱板４（８ｂｄ）、伝熱板５（８ｂｅ）の後部であって母指、示指、中指、環指、小指の血流元部位にセンサー６（６５）、センサー７（６６）、センサー８（６７）、センサー９（６８）、センサー１０（６９）をそれぞれ配設する。これらのセンサーの検出情報は、制御器（Ｂ）の制御部（３）に設けたマイクロコンピュータ（図示せず）で瞬時に分析あるいは解析し、五指のダメージ抑制冷却が常時最適になるように、電子冷却素子１（１５）、電子冷却素子２（１６）、電子冷却素子３（１７）、電子冷却素子４（１８）、電子冷却素子５（１９）の出力（能力）をコントロールする。
（ソ）以上で説明した各伝熱板は各伝熱体の表面に貼着や溶着してもよい。また、各伝熱板を設けず、各伝熱体にそれぞれ各電子冷却素子の冷却面を直接取設しても差し支えない。
（ツ）インナー体（９）は、内体（８）と一体に設けなくても本発明の効果に影響はない。インナー体（９）は、主として過冷却や結露防止するものであり、例えば公知の面ファスナー等で脱着自在に設ければ、冷却装置（Ｉ）の稼働後にインナー体（９）を取り外して洗浄等ができるので衛生的である。勿論、使い捨てインナーを用いてもよい。インナー体（９）を設けない場合、冷却装置を衛生的に連続稼働できる利点がある。
（ネ）電子冷却部として設ける各ボックスは、冷却時の電子冷却部の安定性や安全性あるいは電子冷却素子の保護等で設けているが、ボックスを使用せず、電子冷却素子と熱交換器を一体に構成した電子冷却部であっても、安定性や安全性等に支障がなければ差し支えない。
（ナ）本実施例では、冷却本体（６）を五指手袋状に形成し冷却部位毎にコンパクトな電子冷却素子を配設することで、ダメージ抑制冷却時においても手や指を自由に使うことができるが、例えば、外体（７）をミトン型手袋状にした場合、手の指が拘束されるが、本実施例の五指手袋状の内体（８）であれば、本発明の基本的な効果を損なわないことは明らかである。
（ラ）本実施例から明らかなように、制御器（Ｂ）はシンプルな構造で軽量であり、制御器（Ｂ）をワゴン等に積載すれば抗がん剤治療の妨げにならない程度に移動することができる。また、使用環境に問題がなければ、冷却器（Ａ）と制御器（Ｂ）間をコードレスにすればより利便性が高くなる。【００１８】  以上の説明から明らかなように、本実施例では冷却装置（Ｉ）の制御器（Ｂ）に制御部（３）を設け、冷却部位の情報を各種センサーで検出し、該データを制御部（３）設けたマイクロコンピュータ（図示せず）で分析あるいは解析し、それらのデータを基に個々の部位、個々人毎にダメージ抑制冷却をすることで、ダメージ抑制冷却を高効率、高精度、高速で実現することができた。また、制御部（３）はダメージ抑制冷却部位の基礎的要素の情報（データ等）により、被治療者毎に最適なダメージ抑制冷却プログラムを作成・記録し、冷却治療時は該プログラムに基づいて自動的に冷却装置（Ｉ）を運転することができた。従って、ダメージ抑制冷却時に個々人毎に手動設定する必要や設定時にミスを生ない。更に、ダメージ抑制冷却プログラムを治療後更新し、常に最新のダメージ抑制冷却プログラムで治療することができる。更にダメージ抑制冷却の治療状況がモニター（４）によりビジュアルに関係者が共有でき、ダメージ抑制冷却治療の信頼性を格段に高めることができた。被治療者は抗がん剤治療を数十回行うものであり、被治療者側の利便性は格段に高いが、治療者側にとっても稼働率が格段に高くなり経済性において大きなメリットとなった。また、ダメージ抑制冷却治療の電子カルテを自動的に作成することができる。尚、電子冷却部は、電子冷却素子を単に配設し全電子冷却素子の発熱面の冷却をブロック単位あるいは全体で行うことも本発明の効果を妨げない。【００１９】  本発明の他の実施例１について図に基づいて説明する。尚、実施例は左手用の冷却器である。
（イ）図９、図１０において、冷却器（Ａａ）の冷却本体（１０６）の各挿入部に電子冷却部を複設する。すなわち、母子挿入部（１０６ａ）に電子冷却部１０１（１１０−１）、電子冷却部１０２（１１０−２）、示指挿入部（１０６ｂ）に電子冷却部１０３（１１１−１）、電子冷却部１０４（１１１−２）、中指挿入部（１０６ｃ）に電子冷却部１０５（１１２−１）、電子冷却部１０６（１１２−２）、環指挿入部（１０６ｄ）に電子冷却部１０７（１１３−１）、電子冷却部１０８（１１３−２）、小指挿入部（１０６ｅ）に電子冷却部１０９（１１４−１）、電子冷却部１１０（１１４−２）をそれぞれ設ける。それぞれの電子冷却素子へはリード線（１０１）で直流電流を送電する。
（ロ）各電子冷却部は電子冷却素子を内設した角柱状のボックスを外体（１０７）に固着する。電子冷却部１０１（１１０−１）のボックス１０１（１３０−１）に電子冷却素子１０１（１１５−１）、電子冷却部１０２（１１０−２）のボックス１０２（１３０−２）に電子冷却素子１０２（１１５−２）、電子冷却部１０３（１１１−１）のボックス１０３（１３１−１）に電子冷却素子１０３（１１６−１）、電子冷却部１０４（１１１−２）のボックス１０４（１３１−２）に電子冷却素子１０４（１１６−２）、電子冷却部１０５（１１２−１）のボックス１０５（１３２−１）に電子冷却素子１０５（１１７−１）、電子冷却部１０６（１１２−２）のボックス１０６（１３２−２）に電子冷却素子１０６（１１７−２）、電子冷却部１０７（１１３−１）のボックス１０７（１３３−１）に電子冷却素子１０７（１１８−１）、電子冷却部１０８（１１３−２）のボックス１０８（１３３−２）に電子冷却素子１０８（１１８−２）、電子冷却部１０９（１１４−１）のボックス１０９（１３４−１）に電子冷却素子１０９（１１９−１）、電子冷却部１１０（１１４−２）のボックス１１０（１３４−２）に電子冷却素子１１０（１１９−２）を設ける。各ボックスは冷却本体（１０６）の外体（１０７）に取着する。
（ハ）電子冷却素子の各冷却面は内体（１０８）の各冷却部に設けた各伝熱板（図示せず）と熱伝導両面テープ等で密着する。また、センサーは本発明の実施例と同様に設ける。
（二）以上のように、指の基礎的要素に係合して各挿入部に電子冷却素子を取設することで、各指の冷却を指の付け根、指先の二段階で冷却することができる。また、複数の電子冷却部で指の血流系統を冷却するプロセスでダメージ抑制部位の冷却負荷を軽減できた。【００２０】  本発明の他の実施例２について図１１、図１２に基づいて説明する。
（イ）本実施例はインナー体を設けず、薄手不織布で形成した五指手袋のインナーを用いる。図１１に示すように、冷却器（Ａｂ）の内体（２０８）を伝熱体（２０８ａ）と伝熱板（２０８ｂ）と断熱体（２０８ｃ）で形成する。伝熱体（２０８ａ）と伝熱板（２０８ｂ）の接合部（２０８ｅ）は溶着や貼着する。
（ロ）他の実施例２の冷却器（Ａｂ）は、他の実施例１に示した冷却器（Ａａ）において、最終的なダメージ抑制部位の血流系統を段階的に冷却するものである。すなわち、図１２に示すように、母子挿入部（図示せず）、示指挿入部（図示せず）、中指挿入部（図示せず）、環指挿入部（図示せず）、小指挿入部（図示せず）の指先部位と指の付け根部位にそれぞれ電子冷却素子（図示せず）を内蔵した電子冷却部２０１（２１０−１）と電子冷却部２０２（２１０−２）、電子冷却部２０３（２１１−１）と電子冷却部２０４（２１１−２）、電子冷却部２０５（２１２−１）と電子冷却部２０６（２１２−２）、電子冷却部２０７（２１３−１）と電子冷却部２０８（２１３−２）、電子冷却部２０９（２１４−１）と電子冷却部２１０（２１４−２）を設ける。指の付け根に設ける各電子冷却部の冷却能力、冷却温度は、指先の電子冷却部と同等以上にする。
（ハ）次に、血流量が非常に大きい手の動脈部位に係合する電子冷却部２１１（２１０−１０）、電子冷却部２１２（２１０−１１）を設ける。電子冷却部２１１（２１０−１０）、電子冷却部２１２（２１０−１１）の冷却能力は、電子冷却部２０２（２１０−２）、電子冷却部２０４（２１１−２）、電子冷却部２０６（２１２−２）、電子冷却部２０８（２１３−２）、電子冷却部２１０（２１４−２）より大きなものにする。以上により、ダメージ抑制冷却をダメージ抑制部位の血流系統を段階的に冷却することで、過冷却防止や指の冷却負荷軽減を図ると共に高効率で冷却治療を行う事ができる。
（二）電子冷却部を手の動脈部位及び各指部位に更に複数配設することで、各指先部位に設ける電子冷却部をできるだけ小さくする。すなわち電子冷却部を小型、軽量化することで指への負荷をなくす。
（ホ）各電子冷却部の内体（２０８）にセンサー２０１（２６０）、センサー２０２（２６１）、センサー２０３（２６２）、センサー２０４（２６３）、センサー２０５（２６４）、センサー２０６（２６５）、センサー２０７（２６６）、センサー２０８（２６７）、センサー２０９（２６８）、センサー２１０（２６９）、センサー２１１（２７０）、センサー２１２（２７１）を設ける。センサーの検出した冷却部位の温度、血管分布や血流量、体温等のデータは、リード線（図示せず）で制御器（図示せず）に送信し、制御部（図示せず）のマイクロコンピュータ（図示せず）で分析し、個々人の個々の冷却対象部位毎に電子冷却部をコントロールして冷却する。更に、ダメージ抑制冷却プログラムを作成あるいは更新する。
（ヘ）センサーは種々のセンサーを適所に取設すれば、ダメージ抑制冷却中の人体の異変をチェックすることができる。例えば血圧や脈拍等のデータを検出する。これらのデータを制御器（図示せず）に送信し、制御部（図示せず）で分析し、冷却治療時の個々人の健康管理をすることができる。
（ト）内体（２０８）について図１１に基づき詳細に説明する。内体（２０８）は伝熱体（２０８ａ）、伝熱板（２０８ｂ）、断熱体（２０８ｃ）で形成する。内体（２０８）に各挿入部に係合する伝熱板２０１（図示せず）、２０２（２０８ｂａ−２）、２０３（２０８ｂｂ−１）、２０４（２０８ｂｂ−２）、２０５（２０８ｂｃ−１）、２０６（２０８ｂｃ−２）、２０７（２０８ｂｄ−１）、２０８（２０８ｂｄ−２）、２０９（２０８ｂｅ−１）、２１０（２０８ｂｅ−２）、手の甲の動脈部位に伝熱板２１１（２０８ｂｆ−１）、２１２（２０８ｂｆ−２）をそれぞれ内体（２０８）の伝熱板の取付孔（図示せず）に全周溶着や貼着等で固着する。伝熱体（２０８ａ）と断熱体（２０８ｃ）は接合部（２０８ｅ）で溶着等により一体化する。
（チ）本実施例の伝熱体（２０８ａ）の場合、冷熱の移動が生じるが本発明の効果を妨げることはない。すなわち、図１２に示すように、手の動脈を電子冷却部２１１（２１０−１０）、電子冷却部２１２（２１０−１１）を大きい冷却能力、低温度にする。冷熱は移動するので伝熱距離で冷却温度が上昇するので、冷却対象部位への冷却温度は当然上昇した温度となる。そこで、電子冷却部２０２（２１０−２）、電子冷却部２０４（２１１−２、）電子冷却部２０６（２１２−２）、電子冷却部２０８（２１３−２）、電子冷却部２１０（２１４−２）が２段階目の冷却を行い、最終段階のダメージ抑制部位である毛細管密集部の指先を、電子冷却部２０１（２１０−１）電子冷却部２０２（２１１−１）、電子冷却部２０３（２１２−１）、電子冷却部２０４（２１３−１）、電子冷却部２０５（２１４−１）で冷却することで、血流系統を段階的に冷却することができる。電子冷却部の冷却能力を太い血管部位から細い血管部位に順次小さくし配設し指先の電子冷却部を極力小さくするダメージ抑制冷却プロセスにより、冷却治療の効率化を図り指への負担を軽減する。長時間の治療において、特に女性の被治療者には有用である。
（リ）以上のように、本発明は電子冷却素子を冷熱源とし、血管部位の血流量や血管分布等に応じて冷却能力や冷却温度を変動することができる。すなわち、本実施例のように動脈等の血流量の多いダメージ抑制対象部位をあらかじめ大きな冷却能力で予冷却し、次に各指の付け根の血管を冷却、最後に毛細血管の集中するダメージ抑制部位を最終冷却するというダメージ抑制冷却プロセスを構築し、ダメージ冷却の効果を向上することができる。冷却の段階をより複数段階にすることで、更に手、指に負担とならない冷却と効率的なダメージ抑制冷却ができ、従来にはなかった新たな効果が得られた。【００２１】  本発明の他の実施例１、他の実施例２の説明から明らかなように、本発明の冷却装置はダメージ抑制部位、ダメージ抑制対象部位の基礎的要素に係合して電子冷却素子を配設し、制御器で電子冷却部の冷却能力や冷却温度を自在に変動することができ、効率的な冷却を行うことができた。更に、ダメージ抑制冷却プロセス及びダメージ抑制冷却プログラムにより、常時最適な冷却を実行できた。更に電子冷却素子の電流極性を逆転する性質を利用することで、冷却面と発熱面を自在に反転し、より緻密な温度コントロールを可能にし、過冷却についても防止をすることができたことは明らかである。【００２２】  本発明の他の実施例３について、図に基づいて説明する。
（イ）図１３、図１４に示すように、冷却器（Ａｃ）の冷却本体（３０６）に電子冷却部３０１（３１０）、電子冷却部３０２（３１１）、電子冷却部３０３（３１２）、電子冷却部３０４（３１３）、電子冷却部３０５（３１４）を設ける。各電子冷却部は母子挿入部（３０６ａ）、示指挿入部（３０６ｂ）、中指挿入部（３０６ｃ）、環指挿入部（３０６ｄ）、小指挿入部（３０６ｅ）の上部に設ける。電子冷却部３０６（３１０−１０）、電子冷却部３０７（３１０−１１）を手の甲に設ける。電子冷却部３０６（３１０−１０）、電子冷却部３０７（３１０−１１）は手の甲の動脈部に係合するように冷却本体（３０６）上面に設ける。
（ロ）電子冷却部の代表例として、電子冷却部３０１（３１０）について詳細に説する。
▲１▼冷却本体（３０６）に外体（３０７）と内体（３０８）とインナー体（３０９）で母指挿入部（３０６ａ）を形成する。
▲２▼母指挿入部（３０６ａ）の指背側に母指に係合する電子冷却部３０１（３１０）を設ける。
▲３▼冷却本体（３０６）に角筒状のボックス３０１（３３０）を装着する装着部３０１（３０６ｊ）を設ける。装着部３０１（３０６ｊ）はボックス３０１（３３０）を嵌挿するように内体（３０８）まで貫通して設ける。
▲４▼ボックス３０１（３３０）の熱交取付部（３３０ａ）に軽量伝熱材のアルミニュウムで形成した熱交換器３０１（３４０）を取着する。
▲５▼熱交換器３０１（３４０）は素子取付部３０１（３４０ａ）と放熱部３０１（３４０ｂ）で構成する。
▲６▼ボックス３０１（３３０）の熱交取付部３０１（３３０ａ）に、熱交換器３０１（３４０）の素子取付部３０１（３４０ａ）が下向きに、放熱部３０１（３４０ｂ）が外気側に位置するように取付ける。放熱部３０１（３４０ｂ）の上部にファンＡＳＳＹ３０１（３８０）を設ける。
▲７▼内体（３０８）は高伝熱性材で軟質の伝熱体３０１（３０８ａ）と高伝熱性材で硬質の伝熱板３０１（３０８ｂａ）と極薄の不織布等のインナー体（３０９）で形成する。伝熱体３０１（３０８ａ）には伝熱板３０１（３０８ｂａ）を設ける。伝熱体３０１（３０８ａ）はアルミニュウム繊維等で、伝熱板３０１（３０８ｂａ）はアルミニュウム板や銅板にする。
▲８▼熱交換器３０１（３４０）の下面側の素子取付部３０１（３４０ａ）に電子冷却素子３０１（３１５）の発熱面３０１（３１５ａ）をネジ止め等で取付面に隙間の無いように密着固定する。
▲９▼装着部３０１（３０６ｊ）にボックス３０１（３３０）を装着する。この時、電子冷却素子３０１（３１５）の冷却面３０１（３１５ｂ）と内体（３０８）の伝熱板３０１（３０８ｂａ）と密着するようにボックス３０１（３３０）の熱交取付部３０１（３３０ａ）及びボックス取付部３０１（３３０ｂ）を設けておく。電子冷却素子３０１（３１５）の冷却面３０１（３１５ｂ）と伝熱板３０１（３０８ｂａ）の上面とは熱伝導性両面テープ等で密着固定する。ボックス３０１（３３０）のボックス取付部３０１（３３０ｂ）は冷却本体（３０６）に貼着や溶着等で固定する。更に装着部３０１（３０６ｊ）のボックス３０１（３３０）の周囲をシール材でシールすることで、母指挿入部（３０６ａ）の断熱性を損なわないようにする。
▲１０▼ボックス３０１（３３０）の上部のインロウ部（３３０ｃ）に電子冷却素子３０１（３１５）の発熱を外部に放熱するファン３０１（３８０）をネジ等で固定する。ファン３０１（３８０）はマイクロモーター（３８０ａ）と羽根（３８０ｂ）等で形成する。ファン３０１（３８０）は、電子冷却素子３０１（３１５）の発熱部（３１５ａ）の熱を強制放熱することで冷却能力を高める。ファン３０１（３８０）の放熱量は制御器（図示せず）でコントロールする。
▲１１▼以上のように電子冷却部３０１（３１０）を形成し、母指挿入部（３０６ａ）の母指のダメージ抑制冷却を行う。
（ハ）母指挿入部（３０６ａ）と同様に各挿入部に係合して電子冷却部３０２（３１１）、電子冷却部３０３（３１２）、電子冷却部３０４（３１３）、電子冷却部３０５（３１４）を配設し、手の甲にも同様に電子冷却部３０６（３１０−１０）、電子冷却部３０７（３１０−１１）を配設する。以上により、血流系統を基礎的要素に係合して冷却し、対象部位毎に効率的なダメージ抑制ができる。
（二）電子冷却部は、特にボックスを設けなくても、機能面や安全面等で支障がなければ電子冷却素子と発熱面の冷却器が一体となった電子冷却部でも差支えない。【００２３】  本発明の他の実施例４について図１５に基づいて説明する。
（イ）右手用の冷却器２（Ａｄｂ）は、左手用の冷却器１（Ａｄａ）と左右対称に形成する。制御器（Ｂｄ）は電源コード（４０２）を設け、制御部（４０３）、モニター（４０４）、直流変換器（４０５）は制御器（Ｂｄ）に内蔵する。
（ロ）制御器（Ｂｄ）に、冷却器１（Ａｄａ）と冷却器２（Ａｄｂ）の２台をそれぞれ配線（４０１ａ）、（４０１ｂ）で接続する。
（ハ）制御器（Ｂｄ）は、センサー（図示せず）の検出データ等に基づき、冷却器１（Ａｄａ）、冷却器２（Ａｄｂ）を制御する。以上から明らかなように、本実施例では２台の冷却器を１台の制御器（Ｂｄ）で制御する冷却装置（Ｖ）である。
（ニ）制御器（Ｂｄ）は手以外に足や頭皮の冷却器を接続することも差支えない。すなわち、被治療者の頭皮、手、足等の冷却装置を統合して制御することが可能であり、コンパクトで省エネルギーなマルチ冷却装置（ｖ）である。【００２４】  本発明の他の実施例５について図１６に基づいて説明する。他の実施例５は実施例１の電子冷却部の電子冷却素子を２段に積層し、ファンにより強制冷却するものである。図１６は母指挿入部及び係合する電子冷却部の断面拡大図である。
（イ）冷却器（Ａｅ）の冷却本体（５０６）は外体（５０７）と内体（５０８）とインナー体（５０９）で形成する。
（ロ）外板（５０７）と内体（５０８）とインナー体（５０９）で母子挿入部（５０６ａ）を形成し、母子挿入部（５０６ａ）に係合して電子冷却素子５０１−１（５１５−１）、電子冷却素子５０１−２（５１５−２）を設けた電子冷却部５０１（５１０）を母指指背側に設ける。
（ハ）電子冷却部５０１（５１０）は、電子冷却素子５０１−１（５１５−１）と電子冷却素子５０１−２（５１５−２）を一体化し、ボックス５０１（５３０）に取着する。ボックス５０１（５３０）の上部にファンＡＳＳＹ５０１（５８０）を取設する。
（ニ）電子冷却素子５０１−１（５１５−１）は、発熱面５０１−１（５１５−１ａ）、素子部５０１−１（５１５−１ｃ）、冷却面５０１−１（５１５−１ｂ）、電子冷却素子５０１−２（５１５−２）は、発熱面５０１−２（５１５−２ａ）、素子部５０１−２（５１５−２ｃ）、冷却面５０１−２（５１５−２ｂ）で形成し、電子冷却素子５０１−１（５１５−１）の発熱面５０１−１（５１５−１ａ）に電子冷却素子５０１−２（５１５−２）の冷却面５０１−２（５１５−２ｂ）を取着する。電子冷却素子５０１−１（５１５−１）の冷却面５０１−１（５１５−１ｂ）は内体（５０８）の伝熱体（５０８ａ）の伝熱板５０１−１（５０８ｂａ）に密着固定する。
（ホ）以上のように、電子冷却素子５０１−１（５１５−１）の発熱面５０１−１（５１５−１ａ）は、電子冷却素子５０１−２（５１５−２）の冷却面５０１−２（５１５−２ｂ）で冷却される。電子冷却素子５０１−２（５１５−２）の冷却面５０１−２（５１５−２ｂ）は−２０°Ｃ以下の低温も可能であり、熱交換器を設ける場合に比して低温で冷却できる。従って、ペルティエ効果により、電子冷却素子５０１−１（５１５−１）の冷却面５０１−１（５１５−１ｂ）を−２０°Ｃ以下の低温にできる。すなわち、積層電子冷却素子の電子冷却部は、積層を増加することにより熱の移動量を増加することができる。
（ヘ）積層電子冷却素子を設けた電子冷却部は、広範囲の冷却を必要とする場合、あるいは低温を必要とする場合に有効である。すなわち、頭皮冷却のように頭髪を介して冷却する場合は、手や足の直接冷却の場合と異なり冷却面の温度を−１０°Ｃ以下の低温にする必要がある。従って、積層電子冷却素子は頭皮冷却のような低温や広範囲の冷却に有効である。【００２５】  本発明の他の実施例６について、図に基づいて説明する。他の実施例６は実施例１において冷却本体にインナー体を設けない実施例である。図１７は母指挿入部及び係合する電子冷却部の断面拡大図である。
（イ）母子挿入部（６０６ａ）に係合して設ける電子冷却部６０１（６１０）に示すように、冷却器（Ａｆ）の冷却本体（６０６）は断熱性の外体（６０７）と内体（６０８）で形成する。内体（６０８）は高熱伝導性の伸縮性材で形成した伝熱体（６０８ａ）と銅等の高熱伝導性の伝熱板（６０８ｂａ）で形成する。
（ロ）冷却本体（６０６）の外体（６０７）と内体（６０８）で母子冷却部６０１（６０６ａ）を形成し、母子冷却部６０１（６０６ａ）の上部に電子冷却部６０１（６１０）を設ける。
（ハ）伝熱体（６０８ａ）に伝熱板６０１（６０８ｂａ）の取付孔（６０８ｄ）を設け取付孔（６０８ｄ）に伝熱板６０１（６０８ｂａ）を装着し溶着等で固着する。伝熱板６０１（６０８ｂａ）は伝熱体（６０８ａ）に取付孔（６０８ｄ）を設けず伝熱体（６０８ａ）の表面に単に貼着等しても差し支えない。伝熱板（６０１ｂ）は電子冷却部６０１（６１０）に取設するボックス６０１（６３０）に内設した電子冷却素子６０１（６１５）の冷却面６０１（６１５ｂ）と接合するように配設しており、伝熱板６０１（６０８ｂａ）と電子冷却素子６０１（６１５）の冷却面６０１（６１５ｂ）は接合後に密着固定する。電子冷却素子６０１（６１５）は、ボックス６０１（６３０）に内設した熱交換器３０１（６４０）により放熱する。
（ニ）本実施例は、冷却本体（６０６）に手や指の冷却時の冷却温度の緩和や結露による過冷却等を防止するインナー体を設けず、治療毎に五指手袋のインナーを使用する。尚、冷却装置（Ａｇ）はインナー体を設けないことで安価になる。
（ホ）インナーは、一般的な０．１ｍｍ以下の薄くて安価な使い捨てインナーにすれば利便性が高い。例えば、一般的なものとしては吸湿性や通気性の良いポーラス構造の不織布のインナーを使用する。一方、被治療者は自分のニーズに合ったインナーを使うことで、安心して冷却治療を受けることができる。インナー（使い捨て手袋を含む）は安価で多種多様な用途のものが市販されており、用途、機能、特性別に自在に選択できる。例えば、アレルギー症の人には加硫促進剤レスのプラスティックインナー等がある。更に、公知の多種多様な素材や、新たなニーズのインナーを提供することも容易である。【００２６】  本発明の他の実施例７について、図に基づいて説明する。尚、実施例は左手用の冷却装置で手の甲を上向きに挿入する実施例である。
（イ）図１８、図１９、図２０、図２１、図２２に示すように、冷却装置（ＶＩＩＩ）は冷却器（Ａｇ）と制御器（Ｂｇ）で形成する。冷却器（Ａｇ）の冷却本体（７０６）は五指手袋状に形成する。冷却器（Ａｇ）と制御器（Ｂｇ）は配線（７０１）で接続し制御器（Ｂｇ）に電源コード（７０２）を設ける。制御器（Ｂｇ）には制御部（７０３）、モニター（７０４）、直流変換器（７０５）、ポンプ（７９０）等を設ける。直流変換器（７０５）は冷却器（Ａｇ）に直流電流を供給する。
（ロ）冷却器（Ａｇ）の冷却本体（７０６）は、断熱性の外体（７０７）と伝熱性の内体（７０８）で形成する。冷却本体（７０６）の五指挿入部は、外体（７０７）と内体（７０８）で母子挿入部（７０６ａ）、示指挿入部（７０６ｂ）、中指挿入部（７０６ｃ）、環指挿入部（７０６ｄ）、小指挿入却部（７０６ｅ）を形成する。
（ハ）冷却本体（７０６）の各挿入部に係合して電子冷却部を設ける。すなわち、母子挿入部（７０６ａ）に電子冷却部７０１（７１０−１）、電子冷却部７０２（７１０−２）、示指挿入部（７０６ｂ）に電子冷却部７０３（７１１−１）、電子冷却部７０４（７１１−２）、中指挿入部（７０６ｃ）に電子冷却部７０５（７１２−１）、電子冷却部７０６（７１２−２）、環指挿入部（７０６ｄ）に電子冷却部７０７（７１３−１）、電子冷却部７０８（７１３−２）、小指挿入却部（７０６ｅ）に電子冷却部７０９（７１４−１）、電子冷却部７１０（７１４−２）を設ける。各電子冷却部はボックスに電子冷却素子、熱交換器、ファンＡＳＳＹを内設して構成する。
（ニ）内体（７０８）には、内体（７０８）と同質の熱伝導性材、あるいは高熱伝導材の空気袋（７０８ｆ）を設ける。内体（７０８）は伝熱体（７０８ａ）と伝熱板７０１（７０８ｂａ−１）、伝熱板７０２（図示せず）、伝熱板７０３（図示せず）、伝熱板７０４（図示せず）、伝熱板７０５（図示せず）、伝熱板７０６（図示せず）、伝熱板７０７（図示せず）、伝熱板７０８（図示せず）、伝熱板７０９（図示せず）、伝熱板７１０（図示せず）で形成する。内体（７０８）と各伝熱板は貼着や溶着で固着する。すなわち、空気袋（７０８ｆ）に伝熱板を固着する。空気袋（７０８ｆ）は内体（７０８）と同形にしているが、少なくとも各電子冷却部と相対する大きさにする。すなわち、空気袋（７０８ｆ）が膨張した時に内体（７０８）の伝熱体（７０８ａ）の空気袋（７０８ｆ）と挿入した手が密着するように設けることで、電子冷却部の冷熱が効率よく手や指を冷却する。勿論、空気袋（７０８ｆ）は内体（７０８）と同じ大きさでも特に差し支えない。
（ホ）図２０、図２１、図２２に示すように、冷却本体（７０６）の手の甲側に樹脂製の接続継手（７９１）を取着する。接続継手（７９１）は外体（７０７）に溶着等で固着する。接続継手（７９１）の一方の開口部１（７９１ａ）は空気袋（７０８ｆ）内に開口するように設け、他方の開口部２（７９１ｂ）には空気管（７９２）の一方に接続する。空気管（７９２）の他方はポンプ（７９０）に接続する。ポンプ（７９０）は給排気時の逆止弁を内蔵している。
（ヘ）ポンプ（７９０）で伝熱体（７０８ａ）の空気袋（７０８ｆ）に空気（ｐ）を給気すると、内体（７０８）の伝熱体（７０８ａ）は膨張し、手や指に密着する。冷却中はポンプ（７９０）に内蔵した逆止弁が空気袋（７０８ｆ）の空気の逆流を防止し、挿入した手の締め付け圧力を維持する。冷却終了後にポンプ（７９０）が空気袋（７０８ｆ）の空気（ｑ）を排気することで空気袋（７０８ｆ）は収縮する。内体（７０８）には圧力センサー（図示せず）を設け、手の締め付け圧をを制御器（Ｂｇ）の制御部（７０３）でコントロールする。
（ト）電子冷却部７０１−１（７１０−１）を代表例として図２１、図２２に基づいて詳細に説明する。
▲１▼電子冷却部７０１（７１０−１）は、ボックス７０１−１（７３０−１）に電子冷却素子７０１−１（７１５−１）、熱交換器７０１−１（７４０−１）、ファンＡＳＳＹ７０１−１（７８０−１）で形成する。熱交換器７０１−１（７４０−１）の素子取付部７０１−１（７４０−１ａ）に電子冷却素子７０１−１（７１５−１）の発熱面（７１５−１ａ）をネジ止め等で固着する。
▲２▼ボックス７０１−１（７３０−１）を冷却本体（７０６）に設けた装着部７０１−１（７０６−１ｊ）に挿着した時に、電子冷却素子７０１−１（７１５−１）の冷却面７０１−１（７１５−１ｂ）と内体（７０６）の伝熱板７０１（７０８ｂａ−１）が接合するように伝熱板７０１（７０８ｂａ−１）を母指挿入部（７０６ａ）の指の背側に配設している。内体（７０８）の伝熱板７０１（７０８ｂａ−１）と電子冷却素子７０１−１（７１５−１）の冷却面７０１−１（７１５−１ｂ）は接合後、ネジ止めや熱伝導性両面テープ等で固着する。
▲３▼ボックス７０１−１（７３０−１）は冷却本体（７０６）の装着部７０１−１（７０６−１ｊ）に装着し、溶着等で外体（７０７）に固定する。ボックス７０１−１（７３０−１）を装着後、ボックス７０１−１（７３０−１）の周囲をシリコン等の断熱性のシール材（ｓ）でシールする。
▲４▼母指挿入部（７０６ａ）にセンサー７０１（７６０−１）を取着する。センサー７０１（７６０−１）は母指挿入部（７０６ａ）の温度を検出するセンサー、ダメージ抑制部位の血管分布や血流量等を検出するセンサーで形成する。従って、センサーは母指挿入部（７０６ａ）の伝熱体（７０８ａ）の温度を検出し、血管を検出するセンサーは母指部位の血管分布や血流量を検出し、制御器（図示せず）に設けた制御部（図示せず）で電子冷却素子７０１−１（７１５−１）や熱交換器７０１−１（７４０−１）を制御し、母指の冷却温度を最適にコントロールする。センサー７０１（７６０−１）は血管を検出するセンサーを母指の指先の毛細血管部位、指先の爪部位、指の付け根の動脈部位等に設ければ、一連の母指の基礎的要素や冷却状況を制御部（図示せず）で解析しダメージ抑制冷却の精度を高めて効率よく冷却する。
▲５▼内体（７０８）は空気袋（７０８ｆ）に成形した伝熱体（７０８ａ）と銅板等で成形した伝熱板７０１−１（７０８ｂａ）で形成する。すなわら、本実施例では、伝熱体（７０８ａ）の空気袋（７０８ｆ）の形成部に伝熱板７０１−１（７０８ｂａ）の取付孔（７０８ｄ）を設け伝熱板７０１−１（７０８ｂａ）を装着し溶着あるいは貼着で一体化する。
▲６▼内体（７０８）の伝熱体（７０８ａ）は軟質伸縮材で形成しており、空気袋（７０８ｆ）の膨張時に手や指と伝熱体（７０８ａ）が密着した時に、空気袋（７０８ｆ）が指を圧迫しないようにしている。
▲７▼代表例で示した電子冷却部７０１−１（７１０−１）と同様に電子冷却部７０２（７１０−２）から電子冷却部７０５−２（７１４−２）の各電子冷却部を形成することで、高効率で冷却する冷却装置（ＶＩＩＩ）を提供できた。
（チ）本実施例ではインナー体を設けず、ダメージ抑制冷却時は不織布等で形成した五指手袋（使い捨て手袋を含む）のインナーを使用する。【００２７】  本発明の他の実施例８について図に基づいて説明する。
（イ）図２３、図２４、図２５、図２６に示すように、本実施例は左足のダメージ抑制の冷却装置（ＩＸ）である。冷却装置（ＩＸ）は、冷却器（Ａｈ）と制御器（Ｂｈ）で形成する。冷却器（Ａｈ）と制御器（Ｂｈ）は配線（８０１）で接続し制御器（Ｂｈ）に電源コード（８０２）を設ける。直流変換器（８０５）は冷却器（Ａｇ）に直流電流を供給する。制御器（Ｂｈ）には制御部（８０３）、モニター（８０４）、ポンプ（８９０）等を設ける。
（ロ）冷却器（Ａｈ）の冷却本体（８０６）は、断熱体の外体（８０７）と軟質の熱伝導材で空気袋（８０８ｆ）に形成した内体（８０８）で形成する。冷却本体（８０６）は足の大きさが標準より大きい場合でも容易に挿入できるように形成する。冷却本体（８０６）の指部に、母指挿入部（８０６ａ）、示指挿入部（８０６ｂ）、中指挿入部（８０６ｃ）、環指挿入却部（８０６ｄ）、小指挿入部（８０６ｅ）を形成する。
（ハ）冷却本体（８０６）のかかと側に足（ｚｚ）の挿入口（８０６ｆ）を設け、挿入口（８０６ｆ）にバンド（８０６ｈ）を設ける。バンド（８０６ｈ）の裏側と冷却本体（８０６）の右側面に面ファスナー（８０６ｉ）を設ける。冷却本体（８０６）の挿入口（８０６ｆ）から足（ｚｚ）を挿入しバンド（８０６ｈ）を面ファスナー（８０６ｉ）で押止し冷却器（Ａｈ）を装着する。
（ニ）冷却本体（８０６）に電子冷却素子を内設した電子冷却部を設ける。電子冷却部８０１（８１０）は母子挿入部（８０６ａ）、電子冷却部８０２（８１１）は示指挿入部（８０６ｂ）、電子冷却部８０３（８１２）は中指挿入部（８０６ｃ）、電子冷却部８０４（８１３）は環指挿入部（８０６ｄ）、電子冷却部８０５（８１４）は小指挿入部（８０６ｅ）のそれぞれ指背側に設け、足（ｚｚ）の指先の過敏症や爪障害等のダメージ抑制冷却を行う。足（ｚｚ）の甲の動脈部位に係合して電子冷却部８０６（８１０−１０）、電子冷却部８０７（８１０−１１）を設けることで血流系統を２段階で冷却する。また、冷却効率を高めるとともに、足（ｚｚ）の指部を軽量化することで、冷却治療中も足（ｚｚ）の行動を規制しない。
（ホ）冷却本体（８０６）の各電子冷却部に装着部を設ける。すなわち、装着部８０１（８０６ｊ）、装着部８０２（図示せず）、装着部８０３（図示せず）、８０４（図示せず）、装着部８０５（図示せず）、装着部８０６（図示せず）、装着部８０７（図示せず）を設ける。各装着部は後述するボックスを嵌挿するように成形し内体（８０８）まで貫通して設ける。
（ヘ）ボックス８０１（８３０）、ボックス８０２（８３１）、ボックス８０３（８３２）、ボックス８０４（８３３）、ボックス８０５（８３４）、ボックス８０６（８３５）、ボックス８０７（８３６）には、それぞれに電子冷却素子、熱交換器、ファンＡＳＳＹを取設する。
（ト）冷却本体（８０６）の足の甲側の外体（８０７）に樹脂製の接続継手（８９１）を溶着等で取着する。接続継手（８９１）は一方の開口部を内体（８０８）の空気袋（８０８ｆ）の内部に開口するように溶着等で空気袋（８０８ｆ）に取着し、他方の開口部に空気管（８９２）を取着する。空気管（８９２）の他方開口部は、制御器（Ｂｈ）に内蔵したポンプ（８９０）に接続する。ポンプ（８９０）には給排気時の逆止弁を内設している。
（チ）以下、図２５、図２６に示す足の電子冷却部８０１（８１０）及び母指冷却部（８０６ａ）を代表例として詳細に説明する。
▲１▼冷却本体（８０６）の電子冷却部８０１（８１０）は母子挿入部（８０６ａ）の上面に配設する。本実施例では五指の第一関節部に設けている。電子冷却部８０１（８１０）には電子冷却素子８０１（８１５）を設ける。
▲２▼電子冷却素子８０１（８１５）は、発熱面８０１（８１５ａ）、冷却面８０１（８１５ｂ）、素子部８０１（８１５ｃ）で形成している。
▲３▼内体（８０８）は伝熱体（８０８ａ）と伝熱板（８０８ｂａ）で形成する。伝熱板（８０８ｂａ）は、電子冷却部８０１（８１０）の電子冷却素子８０１（８１５）の冷却面８０１（８１５ｂ）と密着固定する。
▲４▼ボックス８０１（８３０）は断熱性樹脂、例えばベークライト等で上部が開口した角筒状に成形し、上部にアルミニュウム等で成形した熱交換器８０１（８４０）を取着する。熱交換器８０１（８４０）はフラットに成形した素子取付部８０１（８４０ａ）と放熱部８０１（８４０ｂ）からなる。
▲５▼熱交換器８０１（８４０）のフラットに成形した素子取付部８０１（８４０ａ）に電子冷却素子８０１（８１５）の発熱面８０１（８１５ａ）を熱伝導両面テープやネジ止め等で固着する。熱交換器８０１（８４０）の放熱部８０１（８４０ｂ）は電子冷却素子８０１（８１５）の発熱を外部に放熱する。
▲６▼ファンＡＳＳＹ８０１（８８０）は放熱部８０１（８４０ｂ）の発熱を強制的に放熱する。従って、ボックス８０１（８３０）の熱交換器８０１（８４０）の上部には多少の空間を設けて外気を取入れ熱移動を促進する。
▲７▼ボックス８０１（８３０）は、冷却本体（８０６）に設けた装着部８０１（８０６ｊ）に嵌挿し、外体（８０７）に溶着等で固定する。ボックス８０１（８３０）を嵌挿した装着部８０１（８０６ｊ）の周囲を断熱性のシール材（ｓ）でシールする。ボックス８０１（８３０）を固定した時に、電子冷却素子８０１（８１５）の冷却面８０１（８１５ｂ）と伝熱板８０１（８０８ｂ）が接合し、該接合部分を熱伝導テープ等で密着固定する。
▲８▼冷却器（Ａｈ）に足（ｚｚ）を挿入し、バンド（８０６ｈ）を締めて面ファスナー（８０６ｉ）で止め、冷却器（Ａｈ）を足（ｚｚ）に装着する。制御器（Ｂｈ）に設けたポンプ（８９０）で空気袋（８０８ｆ）に給気することで膨張し、伝熱体（８０８ａ）が足（ｚｚ）の親指と密着し冷却効率を高める。冷却終了後、ポンプ（８９０）が空気袋（８０８ｆ）の空気を吸入し排気することで空気袋（８０８ｆ）は収縮する。内体（８０８）に設けた圧力センサー（図示せず）の情報により、内体（８０８）と足の締め付け圧を制御器（Ｂｈ）でコントロールする。
▲９▼ダメージ抑制冷却時、被治療者は治療毎に不織布等で形成した使い捨ての五指足用インナーを使用する。足用インナーは［００２５］で示した手のインナーと同様の材質を用いる。インナーは特に五指でなくても本発明の効果に影響はない。【００２８】  他の実施例９について図に基づいて説明する。他の実施例は左手用の冷却装置である。
（イ）図２７、図２８に示すように、五指手袋状の冷却装置（Ｘ）の冷却器（Ａｉ）と一体に制御器（Ｂｉ）を設ける。
（ロ）制御器（Ｂｉ）は冷却器（Ａｉ）の上面手の甲側に設ける。すなわち、冷却本体（９０６）に制御器外体（９９３）をネジ止め等で固定し一体にする。勿論、冷却本体（９０６）と制御器外体（９９３）を一体の構造にしても差支えない。制御器（Ｂｉ）には電源コード（９０２）を設ける。冷却装置（Ｘ）内の配線（９０１）で制御器（Ｂｉ）、冷却器（Ａｉ）へそれぞれ通電する。制御器外体（９９３）には放熱用通気孔（９９３ａ）を設ける。
（ハ）制御器（Ｂｉ）には、制御部（９０３）、モニター（９０４）、直流変換器（９０５）、ポンプ（９９０）等を軽量、コンパクト化して設ける。
（ニ）制御器（Ｂｉ）は冷却器（Ａｉ）と一体的に設けてもよい。すなわち、冷却装置（Ｘ）の重量や容積分散を図る構造にする。すなわち、制御器（Ｂｉ）を別設し左腕部に装着し配線（９０１）で接続する。制御器（Ｂｉ）に設けた機器類の直流変換器（９０５）やポンプ（９９０）等の重い機器を制御器（Ｂｉ）と別設して左腕部に装着する。制御器（Ｂｉ）のモニター（９０４）等の軽量機器を冷却器（Ａｉ）に設置する。以上に示したように制御器（Ｂｉ）と冷却器（Ａｉ）を一体的に設けた構造でも本発明の効果に影響はない。すなわち、左手用の冷却装置（ＸＩ）を左腕に分散すれば、利便性を損なう事がなく手の負担を分散できる。足の場合も同様にふくらはぎ等に分散する。
（ホ）冷却本体（９０６）には外体（９０７）と内体（９０８）で母指挿入部（９０６ａ）、示指挿入部（９０６ｂ）、中指挿入部（９０６ｃ）、環指挿入部（９０６ｄ）小指挿入部（９０６ｅ）を形成する。
（ヘ）冷却本体（９０６）の母指挿入部（９０６ａ）の上部に電子冷却素子（図示せず）を内設した電子冷却部９０１（９１０−１）、電子冷却部９０２（９１０−２）、示指挿入部（９０６ａ）の上部に電子冷却部９０３（９１１−１）、電子冷却部９０４（９１１−２）、中指挿入部（９０６ａ）上部に電子冷却部９０５（９１２−１）、電子冷却部９０６（９１２−２）、環指挿入部（９０６ａ）上部に電子冷却部９０７（９１３−１）、電子冷却部９０８（９１３−２、）小指挿入部（９０６ａ）上部に電子冷却部９０９（９１４−１）、電子冷却部９１０（９１４−２）を設ける。
（ト）内体（９０８）は軟質の伝熱性材料で形成し、一部または全部を空気袋（９０８ｆ）に形成する。各電子冷却素子（図示せず）の冷却面（図示せず）と内体（９０８）を熱伝導テープ等で接合する。制御器（Ｂｉ）のポンプ（９９０）と内体（９０８）の空気袋（９０８ｆ）は空気管（９９２）で接続する。以上により、空気袋（９０８ｆ）はポンプ（９９０）の給気で膨張し、冷却器（Ａｉ）に挿入した手と密着する。
（チ）冷却本体（９０６）を手首側に延長して延長部をカフ状にし、冷却器（Ａｉ）を手に装着した後、手首にカフを巻き付け面ファスナーで止める既知の血圧計のカフ状にすれば、本実施例より電子冷却部の設置可能部分が容易に拡張できる。【００２９】  本発明の他の実施例１０について図に基づいて詳細に説明する。
（イ）図２９、図３０に示すように、冷却装置（ＸＩ）は冷却器（Ａｊ）と制御器（Ｂｊ）を一体に設ける。制御器（Ｂｊ）には制御部（１００３）、モニター（１００４）、直流変換器（１００５）、ポンプ（１０９０）等を設ける。
（ロ）冷却器（Ａｊ）の冷却本体（１００６）は断熱性樹脂製の外体（１００７）と内体（１００８）で形成する。外体（１００７）には各電子冷却部を埋設するボックス部を設ける。従って、ボックスを設ける必要がない。
（ハ）内体（１００８）は空気袋（１００８ｆ）に形成する。冷却器（Ａｊ）に挿入した手を、制御器（Ｂｊ）のポンプ（１０９０）が空気袋（１００８ｆ）に給気することで内体（１００８）が膨張し挿入した手に密着する。
（二）内体（１００８）は伝熱性軟質材の伝熱体（１００８ａ）とアルミニュウム等の金属製の伝熱板（１００８ｂ）で形成する。伝熱板（１００８ｂ）は伝熱体（１００８ａ）に熱伝導性接着剤等で貼着する。伝熱板（１００８ｂ）は母指挿入部（１００６ａ）に設ける電子冷却部１００１（１０１０−１）、電子冷却部１００２（１０１０−２）に、示指挿入部（１００６ｂ）に設ける電子冷却部１００３（１０１１−１）、電子冷却部１００４（１０１１−２）に、中指挿入部（１００６ｃ）に設ける電子冷却部１００５（１０１２−１）、電子冷却部１００６（１０１２−２）に、環指挿入部（１００６ｄ）に設ける電子冷却部１００７（１０１３−１）、電子冷却部１００８（１０１３−２）に、小指挿入部（１００６ｅ）に設ける電子冷却部１００９（１０１４−１）、電子冷却部１０１０（１０１４−２）に、それぞれ係合するように内体（１００８）に配設する。
（ホ）冷却本体（１００６）の外体（１００７）に電子冷却部を形成する。すなわち、外体（１００７）に各電子冷却部を構成する電子冷却素子及び熱交換器を埋設するボックス部１（１００７ａ）、ボックス部２（図示せず）、ボックス部３（図示せず）、ボックス部４（図示せず）、ボックス部５（図示せず）、ボックス部６（図示せず）、ボックス部７（図示せず）、ボックス部８（図示せず）、ボックス部９（図示せず）、ボックス部１０（図示せず）を設ける。各ボックス部は電子冷却素子及び熱交換器を嵌着するように形成する。更に断熱性を高めるために取付壁部にシール剤を塗布して嵌着する。
（ヘ）ボックス部１（１００７ａ）には電子冷却素子１００１（１０１５−１）と上部に熱交換器１００１（１０４０）、ボックス部２（図示せず）には電子冷却素子１００２（１０１５−２）と上部に熱交換器１００２（１０４１）、ボックス部３（図示せず）には電子冷却素子１００３（１０１６−１）と上部に熱交換器１００３（１０４２）、ボックス部４（図示せず）には電子冷却素子１００４（１０１６−２）と上部に熱交換器１００４（１０４３）、ボックス部５（図示せず）には電子冷却素子１００５（１０１７−１）と上部に熱交換器１００５（１０４４）、ボックス部６（図示せず）には電子冷却素子１００６（１０１７−２）と上部に熱交換器１００６（１０４５）、ボックス部７（図示せず）には電子冷却素子１００７（１０１８−１）と上部に熱交換器１００７（１０４６）、ボックス部８（図示せず）には電子冷却素子１００８（１０１８−２）と上部に熱交換器１００８（１０４７）、ボックス部９（図示せず）には電子冷却素子１００９（１０１５−１）と上部に熱交換器１００９（１０４８）、ボックス部１０（図示せず）には電子冷却素子１０１０（１０１５−２）と上部に熱交換器１０１０（１０４９）を取設する。
（ト）以下、母指冷却部（１００６ａ）及び電子冷却部１００１（１０１５−１）を代表例として説明する。
▲１▼母指挿入部（１００６ａ）に電子冷却部１００１（１０１０−１）を設ける。母指の血流系統の母指付け根部に電子冷却部１００２（１０１０−２）を設ける。
▲２▼電子冷却素子１００１（１０１５−１）は、発熱面１００１（１０１５ａ）、冷却面１００１（１０１５ｂ）、素子部１００１（１０１５ｃ）よりなる。
▲３▼外体（１００７）のボックス部１（１００７ａ）に電子冷却素子１００１（１０１５−１）を伝熱体（１００８ａ）の伝熱板１００１（１００８ｂａ）に取着する。すなわち、電子冷却素子１００１（１０１５−１）の冷却面（１０１５−１ｂ）と伝熱板１００１（１００８ｂａ）を熱伝導両面テープで固着する。電子冷却素子１００１（１０１５−１）の発熱面１００１（１０１５−１ａ）に熱交換器１００１（１０４０）を取設する。熱交換器１００１（１０４０）は、公知の冷却ファンやヒートパイプやプレート熱交換器等やあるいはこれらを組合せた熱交換器を設置する。
▲４▼電子冷却素子１００１（１０１５−１）、電子冷却素子１００２（１０１５−２）の各冷却面を包含する熱交換器を設け、各冷却面を同時に冷却してもよい。この場合、放熱量を指先部と指付根部で変化させて対応する。
▲５▼［００２６］の他の実施例７と同様に、内体（１００８）の空気袋（１００８ｆ）に給気し空気袋（１００８ｆ）が膨張し挿入した親指と伝熱体（１００８ａ）が密着し、伝熱板１００１（１００８ｂａ）を介して冷却する。
▲６▼以上のように電子冷却部１００１（１０１０−１）を埋設した冷却本体（１００６）を形成することができる。各電子冷却部を同様に形成することで電子冷却部を内設した冷却装置（ＸＩ）を形成する。
▲６▼ダメージ冷却時には、ポーラス構造の使い捨てインナーを使用する。
（チ）本実施例によれば、各電子冷却部を内設した冷却器（Ａｊ）は、突起部がなく、各電子冷却部の破損や安全性等のリスクがなく利便性が高い。尚、本実施例が足の冷却装置にも適用することができることは明白である。【００３０】  本発明の他の実施例１１について詳細に説明する。尚、図面については省略している。
本発明の冷却装置の制御器に頭皮の冷却器や左右の手、足の冷却器を配線で接続し、ダメージ抑制部位及びダメージ抑制対象部位の冷却を統合的にコントロールする。また、センサー以外にデジタル錠剤等を活用し、抗がん剤治療中のダメージ抑制部位やダメージ抑制対象部位の血管内への抗がん剤流入量や分布状況等の血管内の抗がん剤に関する情報（以下、抗がん剤に関する情報と称す）に基づき、冷却能力や冷却温度をコントロールあるいは種々の冷却手段（例えばピンポイント冷却）等を行い、ダメージ抑制冷却することで、より効果的にダメージ抑制を行うことができる。また、健康面の情報で治療中の健康管理をすることもできる。【００３１】  以上の各実施例の説明から明らかなように、本発明は抗がん剤治療によるダメージ抑制部位やダメージ抑制対象部位の基礎的要素に基づき、ダメージ抑制冷却プロセスやダメージ抑制プログラムの独自のダメージ抑制冷却システムで被治療者の身体の負担やストレスを無くし、リラックスして抗がん剤治療及びダメージ抑制冷却治療することで、各治療の効果を高めたダメージ抑制冷却装置である。【００３２】  更に、制御部が冷却部位の基礎的要素の情報を分析あるいは解析し、個々人毎の最適なダメージ抑制冷却プロセスやダメージ抑制冷却プログラムを作成あるいは改変し、常に最新のダメージ抑制冷却を行う事が出来た。また、冷却治療時の冷却装置の各設定の必要がなく、冷却装置の稼働率が格段に向上し、被治療者のみならず治療者においても格段に利便性、経済性の高い冷却装置を提供できた。更に、ペルティエ効果による高速冷却で、従来の冷却装置や冷却器具のように事前に冷却をすことを不要にできた。【００３３】  本発明の冷却装置は単にダメージ抑制を効率的に、高精度で冷却するだけではなく、ダメージ抑制部位に係わる部位、すなわちダメージ抑制対象部位に係わる血管系統を複数の電子冷却部で冷却することで、長時間にわたるダメージ抑制冷却における人体への冷却負荷を激減するものである。例えば、手の動脈部位の予備冷却から毛細血管部位への冷却と段階的にあるいは効率的に冷却するダメージ抑制冷却プロセスとダメージ抑制冷却プログラムによりダメージ抑制冷却を行う。すなわち、ダメージ抑制冷却において、血流量の多い動脈部位は電子冷却部を高冷却能力にし、血流量に応じて順次電子冷却部の冷却能力を低くし、血流量の最も少ない毛細血管部位の指、指先へは最も低冷却能力の電子冷却部にし、ダメージ抑制部位の冷却負荷の緩和と軽量化、手や足の自由度の確保を実現した冷却装置である。尚、電子冷却部の冷却能力は電流等によりコントロールするので、電子冷却部の電子冷却素子が全て同一でも差支えない。勿論、電子冷却部の配設数についても特に問題はない。尚、基礎的要素を標準化した標準基礎的要素を用いて治療することも本発明の効果を得られることは明白である。
【図面の簡単な説明】
【００３４】
【図１】  本発明の実施例の冷却装置の平面図
【図２】  本発明の実施例の冷却器の平面図
【図３】  図２のａ−ａ矢視断面図
【図４】  図２のｂ−ｂ矢視断面図（１）
【図５】  図２のｂ−ｂ矢視断面図（２）
【図６】  本発明の実施例の内体の平面図の一部破断図
【図７】  図４のＸ部の拡大図
【図８】  本発明の実施例のセンサー取付平面図
【図９】  本発明の他の実施例１の冷却器の平面図（１）
【図１０】  本発明の他の実施例１の冷却器の平面図（２）
【図１１】  本発明の他の実施例２の内体の平面図の一部破断図
【図１２】  本発明の他の実施例２の冷却器の平面図
【図１３】  本発明の他の実施例３の冷却器の平面図
【図１４】  図１３のｃ−ｃ矢視断面拡大図
【図１５】  本発明の他の実施例４の冷却装置の平面図
【図１６】  本発明の他の実施例５の電子冷却部及び母指挿入部断面拡大図
【図１７】  本発明の他の実施例６の電子冷却部及び母指挿入部断面拡大図
【図１８】  本発明の他の実施例７の冷却装置の平面図
【図１９】  図１６のｄ−ｄ断面拡大図
【図２０】  図１６のＹ１、Ｙ２部断面拡大図
【図２１】  図１６のｅ−ｅ断面拡大図（内体収縮時）
【図２２】  図１６のｅ−ｅ断面拡大図（内体膨張時）
【図２３】  本発明の他の実施例８の冷却装置の平面図
【図２４】  本発明の他の実施例８の正面図
【図２５】  図２３のｆ−ｆ断面拡大図（内体収縮時）
【図２６】  図２３のｆ−ｆ断面拡大図（内体膨張時）
【図２７】  本発明の他の実施例９の冷却装置の平面図
【図２８】  図２８のｇ−ｇ断面図
【図２９】  本発明の他の実施例１０の冷却装置の平面図
【図３０】  本発明の他の実施例１０の冷却装置の平面図
【図３１】  図２９のｆ−ｆ断面図
【符号の説明】
【００３５】Ｉ、Ｖ、ＶＩＩＩ、ＩＸ、Ｘ、ＸＩ                      冷却装置
Ａ、Ａａ、Ａｂ、Ａｃ、Ａｄａ、Ａｄｂ、Ａｅ            冷却器
Ａｆ、Ａｇ、Ａｈ、Ａｉ、Ａｊ                          冷却器
Ｂ、Ｂｄ、Ｂｇ、Ｂｈ、Ｂｉ、Ｂｊ                      制御器
１、１０１、４０１ａ、４０１ｂ、７０１                配線
８０１、９０１                                        配線
２、４０２、７０２、８０２、９０２                    電源コード
３、４０３、７０３、８０３、９０３、１００３          制御部
４、４０４、７０４、８０４、９０４、１００４          モニター
５、４０５、７０５、８０５、９０５、１００５          直流変換器
５ａ                                                  リード線
６、１０６、３０６、５０６、６０６、７０６            冷却本体
８０６、９０６、１００６                              冷却本体
６ａ、１０６ａ、３０６ａ、５０６ａ、６０６ａ          母指挿入部
７０６ａ、８０６ａ、９０６ａ、１００６ａ              母指挿入部
６ｂ、１０６ｂ、３０６ｂ、７０６ｂ、８０６ｂ          示指挿入部
９０６ｂ、１００６ｂ                                  示指挿入部
６ｃ、１０６ｃ、３０６ｃ、７０６ｃ、８０６ｃ          中指挿入部
９０６ｃ、１００６ｃ                                  中指挿入部
６ｄ、１０６ｄ、３０６ｄ、７０６ｄ、８０６ｄ          環指挿入部
９０６ｄ、１００６ｄ                                  環指挿入部
６ｅ、１０６ｅ、３０６ｅ、７０６ｅ、８０６ｅ          小指挿入部
９０６ｅ、１００６ｅ                                  小指挿入部
６ｆ、８０６ｆ                                        挿入口
６ｇ                                                  切口部
６ｈ、８０６ｈ                                        バンド
６ｉ、８０６ｉ                                        面ファスナー
６ｊ                                                  装着部１
６ｋ                                                  装着部２
６ｌ                                                  装着部３
６ｍ                                                  装着部４
６ｎ                                                  装着部５
３０６ｊ                                              装着部３０１
７０６−１ｊ                                          装着部７０１−１
８０６ｊ                                              装着部８０１
７、１０７、３０７、５０７、６０７、７０７，８０７    外体
９０７、１００７                                      外体
１００７ａ                                            ボックス部１
１００７ｂ                                            ボックス部２
１００７ｃ                                            ボックス部３
１００７ｄ                                            ボックス部４
１００７ｅ                                            ボックス部５
１００７ｆ                                            ボックス部６
１００７ｇ                                            ボックス部７
１００７ｈ                                            ボックス部８
１００７ｉ                                            ボックス部９
１００７ｊ                                            ボックス部１０
８、１０８、２０８、３０８、５０８、６０８            内体
７０８，８０８、９０８、１００８                      内体
８ａ、２０８ａ、３０８ａ、６０８ａ                    伝熱体
７０８ａ、１００８ａ                                  伝熱体
８ｂ、２０８ｂ，１００８ｂ                            伝熱板
８ｂａ                                                伝熱板１
８ｂｂ                                                伝熱板２
８ｂｃ                                                伝熱板３
８ｂｄ                                                伝熱板４
８ｂｅ                                                伝熱板５
２０８ｂａ−１                                        伝熱板２０１
２０８ｂａ−２                                        伝熱板２０２
２０８ｂｂ−１                                        伝熱板２０３
２０８ｂｂ−２                                        伝熱板２０４
２０８ｂｃ−１                                        伝熱板２０５
２０８ｂｃ−２                                        伝熱板２０６
２０８ｂｄ−１                                        伝熱板２０７
２０８ｂｄ−２                                        伝熱板２０８
２０８ｂｅ−１                                        伝熱板２０９
２０８ｂｅ−２                                        伝熱板２１０
２０８ｂｆ−１                                        伝熱板２１１
２０８ｂｆ−２                                        伝熱板２１２
３０８ｂａ                                            伝熱板３０１
５０８ｂａ                                            伝熱板５０１
６０８ｂａ                                            伝熱板６０１
７０８ｂａ                                            伝熱板７０１
８０８ｂａ                                            伝熱板８０１
１００８ｂａ                                          伝熱板１００１
８ｄ、６０８ｄ、７０８ｄ                              取付孔
８ｅ、２０８ｅ                                        接合部
７０８ｆ、８０８ｆ、９０８ｆ、１００８ｆ              空気袋
９、３０９、５０９                                    インナー体
１０                                                  電子冷却部１
１１                                                  電子冷却部２
１２                                                  電子冷却部３
１３                                                  電子冷却部４
１４                                                  電子冷却部５
１１０−１                                            電子冷却部１０１
１１０−２                                            電子冷却部１０２
１１１−１                                            電子冷却部１０３
１１１−２                                            電子冷却部１０４
１１２−１                                            電子冷却部１０５
１１２−２                                            電子冷却部１０６
１１３−１                                            電子冷却部１０７
１１３−２                                            電子冷却部１０８
１１４−１                                            電子冷却部１０９
１１４−２                                            電子冷却部１１０
２１０−１                                            電子冷却部２０１
２１０−２                                            電子冷却部２０２
２１１−１                                            電子冷却部２０３
２１１−２                                            電子冷却部２０４
２１２−１                                            電子冷却部２０５
２１２−２                                            電子冷却部２０６
２１３−１                                            電子冷却部２０７
２１３−２                                            電子冷却部２０８
２１４−１                                            電子冷却部２０９
２１４−２                                            電子冷却部２１０
２１０−１０                                          電子冷却部２１１
２１０−１１                                          電子冷却部２１２
３１０                                                電子冷却部３０１
３１１                                                電子冷却部３０２
３１２                                                電子冷却部３０３
３１３                                                電子冷却部３０４
３１４                                                電子冷却部３０５
３１０−１０                                          電子冷却部３０６
３１０−１１                                          電子冷却部３０７
５１０                                                電子冷却部５０１
６１０                                                電子冷却部６０１
７１０−１                                            電子冷却部７０１
７１０−２                                            電子冷却部７０２
７１１−１                                            電子冷却部７０３
７１１−２                                            電子冷却部７０４
７１２−１                                            電子冷却部７０５
７１２−２                                            電子冷却部７０６
７１３−１                                            電子冷却部７０７
７１３−２                                            電子冷却部７０８
７１４−１                                            電子冷却部７０９
７１４−２                                            電子冷却部７１０
８１０                                                電子冷却部８０１
８１１                                                電子冷却部８０２
８１２                                                電子冷却部８０３
８１３                                                電子冷却部８０４
８１４                                                電子冷却部８０５
８１０−１０                                          電子冷却部８０６
８１０−１１                                          電子冷却部８０７
９１０−１                                            電子冷却部９０１
９１０−２                                            電子冷却部９０２
９１１−１                                            電子冷却部９０３
９１１−２                                            電子冷却部９０４
９１２−１                                            電子冷却部９０５
９１２−２                                            電子冷却部９０６
９１３−１                                            電子冷却部９０７
９１３−２                                            電子冷却部９０８
９１４−１                                            電子冷却部９０９
９１４−２                                            電子冷却部９１０
１０１０−１                                          電子冷却部１００１
１０１０−２                                          電子冷却部１００２
１０１１−１                                          電子冷却部１００３
１０１１−２                                          電子冷却部１００４
１０１２−１                                          電子冷却部１００５
１０１２−２                                          電子冷却部１００６
１０１３−１                                          電子冷却部１００７
１０１３−２                                          電子冷却部１００８
１０１４−１                                          電子冷却部１００９
１０１４−２                                          電子冷却部１００１０
１５                                                  電子冷却素子１
１６                                                  電子冷却素子２
１７                                                  電子冷却素子３
１８                                                  電子冷却素子４
１９                                                  電子冷却素子５
１５ａ                                                発熱面１
１６ａ                                                発熱面２
１７ａ                                                発熱面３
１８ａ                                                発熱面４
１９ａ                                                発熱面５
１５ｂ                                                冷却面１
１６ｂ                                                冷却面２
１７ｂ                                                冷却面３
１８ｂ                                                冷却面４
１９ｂ                                                冷却面５
１５ｃ                                                素子部１
１６ｃ                                                素子部２
１７ｃ                                                素子部３
１８ｃ                                                素子部４
１９ｃ                                                素子部５
１１５−１                                            電子冷却素子１０１
１１５−２                                            電子冷却素子１０２
１１６−１                                            電子冷却素子１０３
１１６−２                                            電子冷却素子１０４
１１７−１                                            電子冷却素子１０５
１１７−２                                            電子冷却素子１０６
１１８−１                                            電子冷却素子１０７
１１８−２                                            電子冷却素子１０８
１１９−１                                            電子冷却素子１０９
１１９−２                                            電子冷却素子１１０
２２０−１                                            電子冷却素子２１１
２２０−２                                            電子冷却素子２１２
３１５                                                電子冷却素子３０１
３１５ａ                                              発熱面３０１
３１５ｂ                                              冷却面３０１
５１５−１                                            電子冷却素子５０１−１
５１５−２                                            電子冷却素子５０１−２
５１５−１ａ                                          発熱面５０１−１
５１５−２ａ                                          発熱面５０１−２
５１５−１ｂ                                          冷却面５０１−１
５１５−２ｂ                                          冷却面５０１−２
５１５−１ｃ                                          素子部５０１−１
５１５−２ｃ                                          素子部５０１−２
６１５                                                電子冷却素子６０１
６１５ｂ                                              冷却面６０１
７１５−１                                            電子冷却素子７０１
７１５−１ａ                                          発熱面７０１
７１５−１ｂ                                          冷却面７０１
８１５                                                電子冷却素子８０１
８１５ａ                                              発熱面８０１
８１５ｃ                                              素子部８０１
８１５ｂ                                              冷却面８０１
１０１５−１                                          電子冷却素子１００１
１０１５−２                                          電子冷却素子１００２
１０１６−１                                          電子冷却素子１００３
１０１６−２                                          電子冷却素子１００４
１０１７−１                                          電子冷却素子１００５
１０１７−２                                          電子冷却素子１００６
１０１８−１                                          電子冷却素子１００７
１０１８−２                                          電子冷却素子１００８
１０１９−１                                          電子冷却素子１００９
１０１９−２                                          電子冷却素子１１００
１０１５−１ａ                                        発熱面１００１
１０１５−１ｂ                                        冷却面１００１
１０１５−１ｃ                                        素子部１００１
３０                                                  ボックス１
３１                                                  ボックス２
３２                                                  ボックス３
３３                                                  ボックス４
３４                                                  ボックス５
３０ａ                                                熱交取付部１
３０ｂ                                                ボックス取付部１
１３０−１                                            ボックス１０１
１３０−２                                            ボックス１０２
１３１−１                                            ボックス１０３
１３１−２                                            ボックス１０４
１３２−１                                            ボックス１０５
１３２−２                                            ボックス１０６
１３３−１                                            ボックス１０７
１３３−２                                            ボックス１０８
１３４−１                                            ボックス１０９
１３４−２                                            ボックス１１０
３３０                                                ボックス３０１
３３０ａ                                              熱交取付部３０１
３３０ｂ                                              ボックス取付部３０１
３３０ｃ                                              インロウ部３０１
５３０                                                ボックス５０１
６３０                                                ボックス６０１
７３０−１                                            ボックス７０１−１
８３０                                                ボックス８０１
８３１                                                ボックス８０２
８３２                                                ボックス８０３
８３３                                                ボックス８０４
８３４                                                ボックス８０５
８３５                                                ボックス８０６
８３６                                                ボックス８０７
４０                                                  熱交換器１
４１                                                  熱交換器２
４２                                                  熱交換器３
４３                                                  熱交換器４
４４                                                  熱交換器５
４０ａ                                                素子取付部１
４１ａ                                                素子取付部２
４２ａ                                                素子取付部３
４３ａ                                                素子取付部４
４４ａ                                                素子取付部５
４０ｂ                                                放熱部１
４１ｂ                                                放熱部２
４２ｂ                                                放熱部３
４３ｂ                                                放熱部４
４４ｂ                                                放熱部５
３４０                                                熱交換器３０１
３４０ａ                                              素子取付部３０１
３４０ｂ                                              放熱部３０１
６４０                                                熱交換器６０１
７４０−１                                            熱交換器７０１−１
７４０−１ａ                                          素子取付部７０１−１
８４０                                                熱交換器８０１
８４０ａ                                              素子取付部８０１
８４０ｂ                                              放熱部８０１
１０４０                                              熱交換器８０１
１０４１                                              熱交換器８０１
１０４２                                              熱交換器８０１
１０４３                                              熱交換器８０１
１０４４                                              熱交換器８０１
１０４５                                              熱交換器８０１
１０４６                                              熱交換器８０１
１０４７                                              熱交換器８０１
１０４８                                              熱交換器８０１
１０４９                                              熱交換器８０１
６０                                                  センサー１
６１                                                  センサー２
６２                                                  センサー３
６３                                                  センサー４
６４                                                  センサー５
６５                                                  センサー６
６６                                                  センサー７
６７                                                  センサー８
６８                                                  センサー９
６９                                                  センサー１０
２６０                                                センサー２０１
２６１                                                センサー２０２
２６２                                                センサー２０３
２６３                                                センサー２０４
２６４                                                センサー２０５
２６５                                                センサー２０６
２６６                                                センサー２０７
２６７                                                センサー２０８
２６８                                                センサー２０９
２６９                                                センサー２１０
２７０                                                センサー２１１
２７１                                                センサー２１２
７６０−１                                            センサー７０１
３８０                                                ファンＡＳＳＹ３０１
３８０ａ                                              マイクロモーター
３８０ｂ                                              羽根
５８０                                                ファンＡＳＳＹ５０１
７８０−１                                            ファンＡＳＳＹ７０１−１
８８０                                                ファンＡＳＳＹ８０１
７９０、８９０                                        ポンプ
７９１、８９１、９９１                                接続継手
７９１ａ                                              開口部１
７９１ｂ                                              開口部２
７９２、８９２、９９２                                空気管
ｐ、ｑ                                                空気
ｚ                                                    手の親指
ｚｚ                                                  足の親指
９９３                                                制御部外体
９９３ａ                                              通気孔
【図１】
2019098132.tif 000003
【図２】
2019098132.tif 000004
【図３】
2019098132.tif 000005
【図４】
2019098132.tif 000006
【図５】
2019098132.tif 000007
【図６】
2019098132.tif 000008
【図７】
2019098132.tif 000009
【図８】
2019098132.tif 000010
【図９】
2019098132.tif 000011
【図１０】
2019098132.tif 000012
【図１１】
2019098132.tif 000013
【図１２】
2019098132.tif 000014
【図１３】
2019098132.tif 000015
【図１４】
2019098132.tif 000016
【図１５】
2019098132.tif 000017
【図１６】
2019098132.tif 000018
【図１７】
2019098132.tif 000019
【図１８】
2019098132.tif 000020
【図１９】
2019098132.tif 000021
【図２０】
2019098132.tif 000022
【図２１】
2019098132.tif 000023
【図２２】
2019098132.tif 000024
【図２３】
2019098132.tif 000025
【図２４】
2019098132.tif 000026
【図２５】
2019098132.tif 000027
【図２６】
2019098132.tif 000028
【図２７】
2019098132.tif 000029
【図２８】
2019098132.tif 000030
【図２９】
2019098132.tif 000031
【図３０】
2019098132.tif 000032
【図３１】
2019098132.tif 000033